(57)【要約】【課題】温度低下時に液晶表示パネルにおいて画像オブジェクトの移動速度を低下させることなく、その移動中の画像オブジェクトの残像が液晶表示パネルにできるだけ現れないようにすることのできる「表示装置」を提供することである。【解決手段】画像を表示する液晶表示パネルを備えた表示装置であって、前記液晶表示パネルの温度を検出する温度検出手段（２０）と、該温度検出手段での検出温度が所定温度以下の状況において、前記液晶表示パネルに表示される画像オブジェクトを背景画像中で移動させる際に、前記画像オブジェクトの輝度と前記背景画像の輝度との差が、前記画像オブジェクトの移動前の当該差より大きくなるように、前記画像オブジェクトの輝度及び前記背景画像の輝度の少なくとも一方を制御する表示制御手段（Ｓ１４）を有する構成となる。【選択図】図２
2014085464.tif 000002
【特許請求の範囲】
【請求項１】
画像を表示する液晶表示パネルを備えた表示装置であって、
前記液晶表示パネルの温度を検出する温度検出手段と、
該温度検出手段での検出温度が所定温度以下の状況において、前記液晶表示パネルに表示される画像オブジェクトを背景画像中で移動させる際に、前記画像オブジェクトの輝度と前記背景画像の輝度との差が、前記画像オブジェクトの移動前の当該差より大きくなるように、前記画像オブジェクトの輝度及び前記背景画像の輝度の少なくとも一方を制御する表示制御手段を有する表示装置。
【請求項２】
前記表示制御手段は、前記背景画像の輝度を制御する請求項１に記載の表示装置。
【請求項３】
前記表示制御手段は、最小輝度にて前記背景画像を表示させる請求項２に記載の表示装置。
【請求項４】
前記表示制御手段は、最大輝度にて前記背景画像を表示させる請求項２に記載の表示装置。
【請求項５】
画像を表示する液晶表示パネルを備えた表示装置であって、
前記液晶表示パネルの温度を検出する温度検出手段と、
該温度検出手段での検出温度が所定温度以下の状況において、前記液晶表示パネルに表示される画像オブジェクトを背景画像中で移動させる際に、前記背景画像及び前記画像プロジェクトの双方が最大輝度と最小輝度との間の中間輝度となる中間輝度領域を含むか否かを判定する中間輝度領域有無判定手段と、
該中間輝度領域有無判定手段により前記背景画像及び画像オブジェクトの双方が前記中間輝度領域を含むと判定されたときに、前記背景画像及び前記画像オブジェクトのいずれか一方を前記最大輝度または前記最小輝度に制御する表示制御手段とを有する表示装置。
【請求項６】
前記最大輝度にて前記背景画像が表示されているときに、バックライトの明るさを低減させるバックライト調節手段を有する請求項４または５に記載の表示装置。
【請求項７】
前記表示制御手段は、前記移動が完了したときに、当該移動中に代えた前記画像オブジェクトの輝度及び前記背景画像の輝度の少なくともいずれか一方を移動させる前の輝度に戻す請求項１乃至６のいずれかに記載の表示装置。
【請求項８】
前記液晶表示パネルの画面上に設定された操作物体による操作に対して操作信号を出力する操作部を有し、
前記操作物体による操作が前記画像オブジェクトを移動させる操作であるときに、前記表示制御手段による制御を行う請求項１乃至７のいずれかに記載の表示装置。
【発明の詳細な説明】
【技術分野】
【０００１】
本発明は、画像を表示する液晶表示パネルを備えた表示装置に関する。
【背景技術】
【０００２】
従来、特許文献１に記載の液晶表示装置が知られている。この液晶表示装置は、液晶表示パネルの近傍の周囲温度を検出する温度検出回路と、この温度検出回路の出力に応じて液晶表示パネルに印加する電圧をコントロールする液晶駆動回路と、温度検出回路によって検出された温度が予め設定された第１の温度以下である場合には信号を出力し、第２の温度以上の場合には信号の出力を禁止し、この間にヒステリシスを設けた温度判断回路と、液晶表示パネルの表示情報量を大きくとるために表示文字を１個又は複数個ずつ、順次移動させてスクロール表示させる制御回路とを備えている。
【０００３】
この制御回路は、温度判断回路の判断に基づいて信号が出力された場合に、スクロールスピードを遅くするようになっている。このような液晶表示装置によれば、液晶表示パネルの近傍の周囲温度が第１の設定温度以下のときにスクロールスピードを遅くし、第２の設定温度以上のときにスクロールスピードを復帰させることにより、液晶表示パネルの低温時（第１の設定温度以下）における液晶応答速度の悪化から生じる過去の表示文字、すなわち残像と今回の表示文字との重なりによる誤認を防止することができる。
【先行技術文献】
【特許文献】
【０００４】
【特許文献１】特開昭６４−２０５９５号公報
【発明の概要】
【発明が解決しようとする課題】
【０００５】
しかしながら、特許文献１に記載の液晶表示装置では、スクロールスピード、即ち、表示文字やマーク等の画像オブジェクトの移動速度を遅くしなければならない。このため、画像オブジェクトを移動させるためのユーザの操作の動き、例えば、タッチパネルの表面を指でなぞるフリック操作における当該指の動きと、画像オブジェクトの画面上での動きとが対応しなくなって、ユーザが操作し難くなってしまうおそれがある。
【０００６】
本発明は、このような事情に鑑みてなされたもので、温度低下時に液晶表示パネルにおいて画像オブジェクトの移動速度を低下させることなく、その移動中の画像オブジェクトの残像が液晶表示パネルにできるだけ現れないようにすることのできる表示装置を提供するものである。
【課題を解決するための手段】
【０００７】
本発明に係る表示装置は、画像を表示する液晶表示パネルを備えた表示装置であって、前記液晶表示パネルの温度を検出する温度検出手段と、該温度検出手段での検出温度が所定温度以下の状況において、前記液晶表示パネルに表示される画像オブジェクトを背景画像中で移動させる際に、前記画像オブジェクトの輝度と前記背景画像の輝度との差が、前記画像オブジェクトの移動前の当該差より大きくなるように、前記画像オブジェクトの輝度及び前記背景画像の輝度の少なくとも一方を制御する表示制御手段を有する構成となる。
【０００８】
一般に、液晶表示パネルでは、各画素の輝度変化の応答性は、輝度（印加電圧）の変化の程度、即ち、変化前の輝度（印加電圧）と変化後の輝度（印加電圧）との差が大きいほど良好である傾向にある。従って、上記のような構成によれば、液晶表示パネルの検出温度が所定温度以下の状況において、当該液晶表示パネルの各画素の輝度を変化させつつ表示される画像オブジェクトを背景画像中で移動させる際に、画像オブジェクトの輝度と背景画像の輝度との差が、画像オブジェクトの移動前のこれらの差より大きくなるように、画像オブジェクトの輝度及び背景画像の輝度の少なくとも一方が制御されるので、液晶表示パネルの検出温度が所定温度以下となる温度低下時には、比較的応答性の良い条件のもとで液晶表示パネルに表示された画像オブジェクトの背景画像中での移動がなされる。
【０００９】
なお、前記「輝度」は、対象となる領域（背景画像の全部または一部、画像オブジェクトの全部または一部）全体が単一の輝度で表される場合には、その単一の輝度にて定義することができ、また、対象となる領域が異なる輝度となる複数の部分を含む場合、各部分の広さで重み付けされた当該各部分の輝度の平均値を当該対象となる領域全体の「輝度」として定義することができる。
【００１０】
本発明に係る表示装置において、前記表示制御手段は、前記背景画像の輝度を制御する構成とすることができる。
【００１１】
このような構成によれば、所定温度以下の状況において、液晶表示パネルに表示される画像オブジェクトを背景画像中で移動させる際に、表示制御手段が背景画像の輝度を制御するので、画像オブジェクトの輝度を変更することなく画像オブジェクトの輝度と背景画像の輝度との差を大きくすることが可能となる。
【００１２】
本発明に係る表示装置において、前記表示制御手段は、最高輝度にて前記背景画像を表示させる構成とすることができる。
【００１３】
このような構成によれば、表示制御手段が最高輝度にて背景画像を表示させるので、画像オブジェクトの輝度と背景画像の輝度との差を大きくすることが可能となる。
【００１４】
本発明に係る表示装置において、前記表示制御手段は、最小輝度にて前記背景画像を表示させる構成とすることができる。
【００１５】
このような構成によれば、表示制御手段が最小輝度にて背景画像を表示させるので、画像オブジェクトの輝度と背景画像の輝度との差を大きくすることが可能となる。
【００１６】
本発明に係る表示装置は、画像を表示する液晶表示パネルを備えた表示装置であって、前記液晶表示パネルの温度を検出する温度検出手段と、該温度検出手段での検出温度が所定温度以下の状況において、前記液晶表示パネルに表示される画像オブジェクトを背景画像中で移動させる際に、前記背景画像が最大輝度と最小輝度との間の中間輝度となる中間輝度領域を含むか否かを判定する中間輝度領域有無判定手段と、該中間輝度領域有無判定手段により前記背景画像が前記中間輝度領域を含むと判定されたときに、前記背景画像を前記最大輝度または前記最小輝度に制御する表示制御手段とを有する構成となる。
【００１７】
一般に、液晶表示パネルでは、各画素の輝度変化の応答性は、最大輝度（最大印加電圧）に変化する場合、あるいは、最小輝度（最小印加電圧）に変化する場合に、より良好になる傾向がある。従って、上記のような構成によれば、液晶表示パネルの検出温度が所定温度以下の状況において、液晶表示パネルの各画素の輝度を変化させつつ表示される画像オブジェクトを背景画像中で移動させる際に、背景画像が中間輝度領域を含んでいれば、該背景画像が最高輝度または最小輝度に制御されるので、液晶表示パネルの検出温度が所定温度以下となる温度低下時には、比較的応答性の良い条件のもとで液晶表示パネルに表示された画像オブジェクトの背景画像中での移動がなされる。
【００１８】
本発明に係る表示装置において、前記表示制御手段は、前記移動が完了したときに、当該移動中に代えた前記画像オブジェクトの輝度及び前記背景画像の輝度の少なくともいずれか一方を移動させる前の輝度に戻す構成とすることができる。
【００１９】
このような構成により、表示制御手段が、画像オブジェクトの背景画像中での移動が完了したときに、移動中に代えた画像オブジェクトの輝度及び背景画像の輝度の少なくとも一方を移動させる前の輝度に戻すので、画像オブジェクトの変更後の表示を見やすくすることが可能となる。
【００２０】
本発明に係る表示装置は、前記液晶表示パネルの画面上に設定された操作物体による操作に対して操作信号を出力する操作部を有し、前記操作物体による操作が前記画像オブジェクトを移動させる操作であるときに、前記表示制御手段による制御を行う構成とすることができる。
【００２１】
このような構成により、液晶表示パネルの画面上に設定された操作物体による操作に対して操作信号を出力する操作部が備えられ、操作物体による操作が画像オブジェクトを移動させる操作であるときに、表示制御手段による制御を行うので、操作物体による操作に合わせて画像オブジェクト輝度及び背景画像の輝度の少なくともいずれか一方を変更することが可能となる。
【発明の効果】
【００２２】
本発明に係る表示装置によれば、液晶表示パネルの検出温度が所定温度以下となる低温時においては、画像オブジェクトの輝度と背景画像の輝度との差をより大きくすることによって比較的応答性の良い条件のもとで前記画像オブジェクトが背景画像中で移動することになるので、画像オブジェクトの移動速度を低下させることなく、その移動中の画像オブジェクトの残像が液晶表示パネルにできるだけ現れないようにすることができる。
【００２３】
また、本発明に係る表示装置によれば、液晶表示パネルの検出温度が所定温度以下となる低温時においては、背景画像中に中間輝度領域がある場合に、その背景画像を最大輝度または最小輝度にすることによって比較的応答性の良い条件のもとで画像オブジェクトが前記背景画像中で移動することになるので、画像オブジェクトの移動速度を低下させることなく、その移動中の画像オブジェクトの残像が液晶表示パネルにできるだけ現れないようにすることができる。
【図面の簡単な説明】
【００２４】
【図１】本発明の実施の形態に係る表示装置を含む車載機器の構成を示すブロック図である。
【図２】液晶表示パネルに表示されたアイコンを移動させる際に処理ユニットにてなされる処理の流れを示すフローチャートである。
【図３】液晶表示パネルに表示される画像の一例を示す図（その１）である。
【図４】液晶表示パネルに表示される画像の一例を示す図（その２）である。
【図５】液晶表示パネルに表示される画像の一例を示す図（その３）である。
【図６】液晶表示パネルに表示される画像の一例を示す図（その４）である。
【図７】液晶表示パネルに表示される画像の一例を示す図（その５）である。
【図８】液晶表示パネルに表示されるアイコン（画像オブジェクト）が移動する前の当該アイコンの階調値（輝度）と背景画像の階調値（輝度）との関係を示す図である。
【図９】液晶表示パネルに示されるアイコン（画像オブジェクト）が移動する際の当該アイコンの階調値と背景画像の階調値との関係を示す図である。
【図１０】図１に示す車載機器の液晶表示パネルに表示される画像の一例を示す図（その６）である。
【図１１】図１に示す車載機器の液晶表示パネルに表示される画像の一例を示す図（その７）である。
【図１２】図１に示す車載機器の液晶表示パネルに表示される画像の一例を示す図（その８）である。
【図１３】液晶表示パネルに表示されるアイコン（画像オブジェクト）が移動する前の当該アイコンの階調値（輝度）と背景画像の階調値（輝度）との関係を示す図である。
【図１４】液晶表示パネルに表示されるアイコン（画像オブジェクト）が移動する際の当該アイコンの階調値と背景画像の階調値との関係を示す図である。
【発明を実施するための形態】
【００２５】
本発明の実施の形態について図面を用いて説明する。
【００２６】
本発明の実施の一形態に係る表示装置を含む車載機器は、図１に示すように構成される。
【００２７】
図１において、この車載機器１００は、コンピュータユニット（例えば、ＣＰＵを含む）によって構成される処理ユニット１１を有している。処理ユニット１１には、各種音源及び映像源（例えば、ＣＤ、ＤＶＤ等）の再生処理が可能なＡＶユニット１７、及び自車両のルート案内等のナビゲーション処理を行うナビゲーションユニット１８が接続されている。また、処理ユニット１１には、スピーカ１６が接続される出力回路１５が接続されており、処理ユニット１１の制御のもと、ＡＶユニット１７及びナビゲーションユニット１８の処理に基づいた音声信号が出力回路１５を介してスピーカ１６に供給され、前記音声信号に応じた音がスピーカ１６から出力される。更に、処理ユニット１１には、ＡＶユニット１７及びナビゲーションユニット１８にて利用される楽曲情報や地図情報等の各種情報が記憶される記憶部１４（例えば、ハードディスク）と、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。また、処理ユニット１１には、後述する表示部１３を構成する液晶表示パネルの背面を照らすバックライト１３１を制御するための駆動回路１９と、表示部１３近傍に設けられ、表示部１３の温度を検出する温度検出器２０（温度検出手段）とが接続されている。
【００２８】
前述したように、表示部１３は、液晶表示パネルにて構成されている（以下、表示部を液晶表示パネルという）。この液晶表示パネル１３は、その背面に光源となるバックライト１３１を備えている。処理ユニット１１からの制御信号に基づいた駆動電圧がバックライト１３１に印加されるようになっている。また、処理ユニット１１は、ＡＶユニット１７あるいはナビゲーションユニット１８からの画像データに基づいて液晶表示パネル１３の各画素の印加電圧を制御することにより、各画素の階調値（輝度）を、例えば、０階調（最小階調値：最小輝度）から２５５階調（最高階調値：最大輝度）の範囲で制御する。これにより、液晶表示パネル１３に、０階調から２５５階調の範囲の階調値の各画素で構成される画像が表示される。
【００２９】
操作部１２は、例えば、液晶表示パネル１３の上面に設けられるタッチパネルにて形成されており、操作者の指等である操作物体が接触したり、操作物体を接触させたままスライドさせたり等、様々な操作物体（操作者の指）の動きに基づいた操作情報を処理ユニット１１に出力するようになっている。記憶部１４には、操作部１２から処理ユニット１１に供され得る操作情報と、その操作情報により処理ユニット１１がなすべき処理についての情報とが対応づけられた状態で記憶されている。処理ユニット１１は、操作部１２からの操作情報を取得すると、その操作情報に対応させて記憶部１４に記憶された情報にて特定される処理を実行する。記憶部１４に記憶される操作情報には、例えば、液晶表示パネル１３に表示された画像オブジェクト（例えば、アイコン等）を移動させるための操作情報が含まれている。
【００３０】
液晶表示パネル１３及び処理ユニット１１の機能にて構成されるとともに温度検出器２０を備える表示装置において、液晶表示パネル１３に表示される背景画像中のアイコン（画像オブジェクト）を移動させる際に、処理ユニット１１は、図２に示す手順に従って処理を行う。
【００３１】
図２において、処理ユニット１１は、例えば、図３に示すように液晶表示パネル１３に表示される背景画像ＢＫＧ中のアイコンＩｃ（画像オブジェクト）が移動を開始したか否かを確認している（Ｓ１１）。利用者が、例えば、図４に示すように、タッチパネルにて構成される操作部１２を介して前記アイコンＩｃに触れた指Ｆを移動させるフリック操作を行い、そのフリック操作に基づいた操作情報に従ってアイコンＩｃが移動を開始すると（Ｓ１１でＹＥＳ）、処理ユニット１１は、液晶表示パネル１３の温度を検出する温度検出器２０（温度検出手段）からの検出温度Ｔを取得し、その検出温度Ｔが所定の温度ＴＬ以下であるか否かを判定する（Ｓ１２）。前記検出温度Ｔが所定の温度ＴＬ以下であると判定すると（Ｓ１２でＹＥＳ）、処理ユニット１１は、液晶表示パネル１３に表示された背景画像ＢＫＧ及びアイコンＩｃに最小階調値「０」と最大階調値「２５５」との間の階調値となる中間階調領域が含まれているか否かを判定する（Ｓ１３：中間輝度領域有無判定手段）。
【００３２】
例えば、図３及び図４に示した例では、背景画像ＢＫＧが最大階調値の５０％の階調値（以下、階調値を単に最大階調値からの割合（％）で表す）となり、アイコンＩｃが３０％の階調値となっている。この場合、処理ユニット１１は、背景画像ＢＫＧに中間階調領域（階調値５０％）が含まれるとして（Ｓ１３でＹＥＳ）、背景画像ＢＫＧを最大階調値（１００％：白）にて描画するように液晶表示パネル１３を制御する（Ｓ１４：表示制御手段）。更に、処理ユニット１１は、駆動回路１９を介してバックライト１３１の発光量を低減させる（Ｓ１５：バックライト調整手段）。その後、処理ユニット１１は、前記フリック操作に従って移動するアイコンＩｃが停止したか否かを監視する（Ｓ１６）状態になる。
【００３３】
この状態で、利用者が、フリック操作を継続することにより、液晶表示パネル１３の画面上では、図５に示すように、最大階調値（１００％：白）の背景画像ＢＫＧ中においてフリック操作による指Ｆの動きに従って、階調値３０％のアイコンＩｃが移動する。そして、図６に示すように、背景画像ＢＫＧ中においてアイコンＩｃの移動操作が終了して、指Ｆがタッチパネル（操作部１２）から離れると、処理ユニット１１は、液晶表示パネル１３に表示されたアイコンＩｃが停止したと判定し（Ｓ１６でＹＥＳ）、背景画像ＢＫＧの階調値が前述したように最大階調値（１００％）に変更されたことを確認して（Ｓ１７でＹＥＳ）、図７に示すように、背景画像ＢＫＧを元の階調値（３０％：白）にて描画するように液晶表示パネル１３を制御する（Ｓ１８：表示制御手段）。
【００３４】
その後、処理ユニット１１は、液晶表示パネル１３に表示されたアイコンＩｃ（図９参照）が背景画像ＢＫＧ中で移動を開始するか否かの監視状態（Ｓ１１）になる。そして、液晶表示パネル１３の検出温度Ｔが所定温度ＴＬ以下となる低温時においては、前記アイコンＩｃが移動する毎に、前述した処理（Ｓ１１でＹＥＳ、Ｓ１２でＹＥＳ、Ｓ１３でＹＥＳ、Ｓ１４〜Ｓ１８）が実行される。
【００３５】
液晶表示ユニット１３では、一般に、各画素に対する印加電圧の変化が大きいほど、より短時間に輝度（階調値）が変化する傾向、即ち、各画素の輝度の変化量が大きいほど応答性が良い傾向がある。特に、その輝度（階調値）が最大輝度（最大階調値）に変化する際にその変化時間が最も短時間になる。上述した表示装置では、液晶表示パネル１３に表示されたアイコンＩｃが移動する前のアイコンＩｃの階調値（３０％）と背景画像の階調値（５０％）との差ΔBic-bkg（図８参照）より、アイコンＩｃが移動する際のアイコンＩｃの階調値（３０％）と背景画像ＢＫＧの階調値（１００％）との差ΔＢＨ図９参照）のほうが大きく、更に、アイコンＩｃが移動する際の背景画像ＢＫＧが最大階調値（１００％：白）にて描画される。このため、液晶表示パネル１３において各画素の階調値（輝度）を順次変化させながら、アイコンＩｃの背景画像ＢＫＧ中での移動が、より応答性の良い条件のもとでなされる。従って、液晶表示パネル１３の検出温度Ｔが所定温度ＴＬ以下となる低温時において、液晶表示パネル１３に表示されるアイコンＩｃ（画像オブジェクト）の移動速度を低下させなくても、その移動中のアイコンＩｃの残像が液晶表示パネル１３に現れないようになる。
【００３６】
また、上述した表示装置では、液晶表示パネル１３に表示されたアイコンＩｃを移動させる際に、背景画像ＢＫＧが最大階調値（１００％：白）にて描画されるが、バックライト１３１の発光量が低減されるので、液晶表示パネル１３の画面全体の明るさが低減される。これにより、背景画像ＢＫＧが最大階調値（１００％：白）になることに対する利用者の違和感を緩和させることができる。
【００３７】
前述した表示装置では、液晶表示パネル１３に表示されたアイコンＩｃを、中間階調領域を含む背景画像ＢＫＧ中で移動させる際に、背景画像ＢＫＧを最大階調値（１００％：白）にて描画するようにしたが、背景画像ＢＫＧを最小階調値（０％：黒）にて描画することもできる。この場合について、以下、簡単に説明する。
【００３８】
図２において、例えば、処理ユニット１１は、図１０に示すように液晶表示パネル１３に表示される階調値（輝度）の異なる背景画像ＢＫＧ１、ＢＫＧ２中のアイコンＩｃ（画像オブジェクト）が移動開始したか否かを確認している（Ｓ１１）。利用者が、タッチパネルにて構成される操作部１２を介して前記アイコンＩｃに触れた指Ｆを移動させるフリック操作を行い、そのフリック操作に基づいた操作情報に従ってアイコンＩｃが移動を開始すると（Ｓ１１でＹＥＳ）、処理ユニット１１は、温度検出器２０からの検出温度Ｔを取得し、その検出温度Ｔが所定の温度ＴＬ以下であるか否かを判定する（Ｓ１２）。前記検出温度Ｔが所定の温度ＴＬ以下であると判定すると（Ｓ１２でＹＥＳ）、処理ユニット１１は、液晶表示パネル１３に表示された背景画像ＢＫＧ１、ＢＫＧ２及びアイコンＩｃに中間階調領域が含まれているか否かを判定する（Ｓ１３：中間輝度領域有無判定手段）。
【００３９】
例えば、図１０に示した例では、背景画像ＢＫＧ１が６０％の階調値及び背景画像ＢＫＧ２が４０％の階調値となり、アイコンＩｃが７０％の階調値となっている。この場合、処理ユニット１１は、背景画像ＢＫＧ１、ＢＫＧ２に中間階調領域（階調値４０％、６０％）が含まれるとして（Ｓ１３でＹＥＳ）、背景画像ＢＫＧを最小階調値（０％：黒）にて描画するように液晶表示パネル１３を制御する。このとき、処理ユニット１１は、駆動回路１９を介してバックライト１３１の発光量を低減させる操作を行うことなく、処理ユニット１１は、前記フリック操作に従って移動するアイコンＩｃが停止したか否かを監視する（Ｓ１６）状態になる。
【００４０】
この状態で、利用者が、フリック操作を継続することにより、液晶表示パネル１３の画面上では、図１１に示すように、最小階調値（０％：黒）の背景画像ＢＫＧ中においてフリック操作による指Ｆの動きに従って、階調値７０％のアイコンＩｃが移動する。そして、背景画像ＢＫＧ中においてアイコンＩｃの移動操作が終了して、指Ｆがタッチパネル（操作部１２）から離れると、処理ユニット１１は、液晶表示パネル１３に表示されたアイコンＩｃが停止したと判定し（Ｓ１６でＹＥＳ）、背景画像ＢＫＧの階調値が前述したように最小階調値（０％）に変更されたことを確認して（Ｓ１７でＹＥＳ）、図１２に示すように、背景画像ＢＫＧ１を元の階調値（６０％）及び背景画像ＢＫＧ２を元の階調値（４０％）にて描画するように液晶表示パネル１３を制御する（Ｓ１８：表示制御手段）。
【００４１】
その後、処理ユニット１１は、液晶表示パネル１３に表示されたアイコンＩｃ（図１４参照）が背景画像ＢＫＧ１、ＢＫＧ２中で移動を開始するか否かの監視状態（Ｓ１１）になる。そして、液晶表示パネル１３の検出温度Ｔが所定温度ＴＬ以下となる低温時においては、前記アイコンＩｃが移動する毎に、前述した処理（Ｓ１１でＹＥＳ、Ｓ１２でＹＥＳ、Ｓ１３でＹＥＳ、不図示の処理、及びＳ１６〜Ｓ１８）が実行される。
【００４２】
前述したように、液晶表示ユニット１３では、一般に、各画素に対する印加電圧の変化が大きいほど、より短時間に輝度（階調値）が変化する傾向、即ち、各画素の輝度の変化量が大きいほど応答性が良い傾向がある。特に、その輝度（階調値）が最大輝度（最大階調値）に変化する際にその変化時間が最も短時間になるが、その輝度（階調値）を最小輝度（最小階調値）に変化する際にも略同様にその変化時間が短時間になる。上述した表示装置では、液晶表示パネル１３に表示されたアイコンＩｃが移動する前のアイコンＩｃの階調値（７０％）と背景画像ＢＫＧ１の階調値（６０％）との差ΔBic-bkg1及びアイコンＩｃの階調値（７０％）と背景画像ＢＫＧ２の階調値（４０％）との差ΔBic-bkg2（図１３参照）より、アイコンＩｃが移動する際のアイコンＩｃの階調値（７０％）と背景画像ＢＫＧの階調値（０％）との差ΔＢL（図１４参照）のほうが大きく、更に、アイコンＩｃが移動する際の背景画像ＢＫＧが最小階調値（０％：黒）にて描画される。このため、液晶表示パネル１３において各画素の階調値（輝度）を順次変化させながら、アイコンＩｃの背景画像ＢＫＧ中での移動が、より応答性の良い条件のもとでなされる。これによって、アイコンＩｃがフリック操作により背景画像ＢＫＧ１、ＢＫＧ２のいずれの背景画像の位置に移動させられたとしても、その応答性が向上する。従って、液晶表示パネル１３の検出温度Ｔが所定温度ＴＬ以下となる低温時において、液晶表示パネル１３に表示されるアイコンＩｃ（画像オブジェクト）の移動速度を低下させなくても、その移動中のアイコンＩｃの残像が液晶表示パネル１３に現れないようになる。
【００４３】
また、上述した表示装置では、液晶表示パネル１３に表示されたアイコンＩｃを移動させる際に、背景画像ＢＫＧが最小階調値（０％：黒）にて描画されるので、例えば、背景画像ＢＫＧが最大階調値（１００％：白）に描画されるよりも、アイコンＩｃの階調値と背景画像ＢＫＧの階調値との差が大きくなる。また、アイコンＩｃが背景画像中ＢＫＧ中を移動する際にもアイコンＩｃが目立つようになり、より液晶表示パネル１３を見やすくすることが可能となる。
【００４４】
なお、本発明の実施の形態では、画像を表示する液晶表示パネル１３の温度を温度検出器２０により検出し、検出温度Ｔが所定温度ＴＬ以下の状況において、液晶表示パネル１３に表示されるアイコンＩｃを背景画像ＢＫＧ中で移動させる際に、アイコンＩｃの階調値（輝度）と背景画像ＢＫＧの階調値（輝度）との差が、アイコンＩｃの移動前のこれらの差より大きくなるように、背景画像ＢＫＧの階調値（輝度）を最大階調値（１００％）又は最小階調値（０％）に制御するようにしたが、もちろん、アイコンＩｃの階調値（輝度）をその移動の際に、最大階調値（最大輝度）又は最小階調値（最小輝度）に変化させるようにしてもよい。さらに、アイコンＩｃを背景画像ＢＫＧ中で移動させる際に、アイコンＩｃの階調値（輝度）を最小階調値（最小輝度）に変化させるとともに、背景画像ＢＫＧの輝度を最大階調値（最大輝度）に変化させるようにしてもよいし、逆にアイコンＩｃの階調値（輝度）を最大階調値（最大輝度）に変化させるとともに、背景画像ＢＫＧの階調値（輝度）を最大階調値（最大輝度）に変化させるようにしてもよい。
【００４５】
また、本発明の実施の形態では、画像を表示する液晶表示パネル１３の温度を温度検出器２０により検出し、検出温度Ｔが所定温度ＴＬ以下の状況において、液晶表示パネル１３に表示されるアイコンＩｃを背景画像ＢＫＧ中で移動させる際に、アイコンＩｃの階調値（輝度）と背景画像ＢＫＧの階調値（輝度）との差が、アイコンＩｃの移動前のこれらの差より大きくなるように、背景画像ＢＫＧの階調値（輝度）を最大階調値（１００％）又は最小階調値（０％）に制御するようにしたが、アイコンＩｃの階調値（輝度）と背景画像ＢＫＧの階調値（輝度）との差をより大きくすることができれば、背景画像ＢＫＧの階調値（輝度）を最大階調値（１００％）又は最小階調値（０％）に制御するのではなく、例えば、最小階調値に近い階調値（５％）又は最大階調値に近い階調値（９５％）等に制御するようにしてもよい。
【００４６】
また、本発明の実施の形態では、アイコンＩｃの階調値（輝度）は、同一の階調値（輝度）にて構成されるようにしたが、もちろん、図１０に示す背景画像ＢＫＧ１、ＢＫＧ２のように、階調値（輝度）が異なる複数の画像によって構成されるようにしてもよい。このような場合は、各種階調値（輝度）の領域の広さで重み付けされた平均的な階調値（輝度）を算出し、ステップＳ１４の処理がなされるようにしてもよい。
【００４７】
また、本発明の実施の形態に係る表示装置は、液晶表示パネル１３及び処理ユニット１１の機能にて構成されるようにしたが、車載機器に内蔵される場合に限らず、その他の機器に内蔵される表示装置であってもよいし、もちろん、屋外に設置される表示装置であってもよい。特に、屋外に設置される表示装置であれば、表示部１３の温度が所定温度ＴＬ以下になることが多いので、本願発明は有効に利用される。
【産業上の利用可能性】
【００４８】
以上、説明したように、本発明に係る表示装置は、温度低下時に液晶表示パネルにおいて画像オブジェクトの移動速度を低下させることなく、その移動中の画像オブジェクトの残像が液晶表示パネルにできるだけ現れないようにすることが可能になるという効果を有し、画像を表示する液晶表示パネルを備えた表示装置として有用である。
【符号の説明】
【００４９】
１１  処理ユニット
１２  操作部（タッチパネル）
１３  表示部（液晶表示パネル）
１４  記憶部
１５  出力回路
１６  スピーカ
１７  ＡＶユニット
１８  ナビゲーションユニット
１９  駆動回路
２０  温度検出器
１００  車載機器
１３１  バックライト
【図１】
2014085464.tif 000003
【図２】
2014085464.tif 000004
【図３】
2014085464.tif 000005
【図４】
2014085464.tif 000006
【図５】
2014085464.tif 000007
【図６】
2014085464.tif 000008
【図７】
2014085464.tif 000009
【図８】
2014085464.tif 000010
【図９】
2014085464.tif 000011
【図１０】
2014085464.tif 000012
【図１１】
2014085464.tif 000013
【図１２】
2014085464.tif 000014
【図１３】
2014085464.tif 000015
【図１４】
2014085464.tif 000016